(57)【特許請求の範囲】
【請求項１】
建材と横架材とからなる枠体に横架材を介して足場板を架設し、足場板の両側に垂直に起立する巾木本体と巾木本体に横方向に向けて結合した隙間塞ぎ板とからなる巾木を配設し、建材と横架材にブラケットを着脱自在に結合し、当該ブラケットを介して上記巾木を上記枠体に結合している足場装置において、上記巾木本体に係止ピン又は長孔を設け、上記ブラケットを支持板と、支持板の上部に水平に設けた抱持板と、支持板の下端に形成した半円状の係止溝と、支持板に設けた係止ピン又は長孔と、抱持板の中央に形成した半円状の抱持溝と、抱持板の下面又は上面に設けたガイドと、ガイド内に上記抱持溝に対向してスライド自在に挿入した楔とからなり、上記係止溝を上記横架材上に嵌合し、上記抱持溝を上記建材側面に嵌合させ、上記楔を上記抱持溝と反対側の建材側面に圧接させることにより建材と横架材にブラケットを結合し、上記ブラケット又は上記巾木本体の一方の係止ピンを他方の長孔内に着脱自在に挿入して巾木をブラケットを介して枠体に結合させることを特徴とする足場装置における巾木の取付装置。
【請求項２】
隙間塞ぎ板を足場板の上面又は下面に当接させている請求項１の足場板における巾木の取付装置。
【請求項３】
支持板の下部に二又状の支持片を一対設け、各支持片の下端にそれぞれ半円状の係止溝を設けている請求項２の足場装置における巾木の取付装置。
【請求項４】
支持板の中央表面に上下一対のガイド片を突出させ、各ガイド片にストッパを上下方向及び回転方向自在に挿入し、当該ストッパはガイド片に挿入したロッドと、ロッドの下部に突設したストップピンと、ロッドの上端に水平に設けた係止片とからなり、巾木の装着後係止片を巾木本体の上端に係合させる請求項２又は３の足場装置における巾木の取付装置。
【請求項５】
巾木本体が板材と、板材の端部又は中間に設けた中空なソケットとからなり、ソケットに係止ピン又は長孔が形成されている請求項１，２，３又は４の足場装置における巾木の取付装置。
【請求項６】
ソケットが中空な柱体と柱体の端部に張出した取付板とからなり、取付板を介して板材の端部を柱体の端部に結合させている請求項５の足場装置における巾木の取付装置。
【請求項７】
ソケットが中空な柱体と柱体の表面に一体に結合した中空なガイド筒とからなり、ガイド筒内板材とスライド自在に挿入している請求項５の足場装置における巾木の取付装置。
【発明の詳細な説明】
【０００１】
【発明の属する技術分野】
本発明は、建築現場，土木工事場で使用され、足場板の両側に形成されている隙間を塞ぐ巾木を備えた枠組足場，支保工等の足場装置における巾木の取付装置に関する。
【０００２】
【従来の技術】
一般に建築現場，土木工事現場で使用される枠組足場等の足場装置は建枠と横架材とからなる枠体を多数平行に起立し、この枠体間に足場板を架設している。この場合建枠と足場板の両側には隙間が長手方向に形成され、この隙間から工具等の物体が落下するおそれがある。そこで、この隙間を塞ぐため足場板の両側に長手方向に沿っていわゆるつま先板たる巾木を配設した足場装置が例えば特開平８−１００５２１号に開示され、実際に使用もされている。
【０００３】
この巾木は垂直に起立する巾木本体と、巾木本体の下部に水平方向に向けて結合した隙間塞ぎ板とで構成され、巾木本体はクランプ，ブラケット，継手等を介して建枠に結合し、隙間塞ぎ板は足場板の上面に重ねて配置して使用されている。
【０００４】
【発明が解決しようとする課題】
上記巾木は、普通に使用されている場合には構造上特に欠陥は無いが、次のような不具合の改善が望まれている。
【０００５】
第１に、巾木本体を建枠側にクランプ等を介して結合する際に隙間塞ぎ板が足場板の上面にぴったりと当接する状態に位置合せするのが困難であり、多少上下にずれると隙間塞ぎ板と足場板との間に隙間が発生したり、隙間塞ぎ板が斜めになってしまうおそれがある。
【０００６】
第２に、長年巾木を使用している場合、何らかの原因で隙間塞ぎ板が波うったり、ゆがんで変形する場合があり、この変形個所に隙間が発生してしまうおそれがある。
【０００７】
第３に、巾木本体にクランプ等が設けられていると、巾木を保管する際に積み重ねが良好に出来ず、クランプの巾木本体が変形するおそれがある。
【０００８】
そこで、本発明の目的は、巾木自体の取付装置の位置合せと取付操作が容易であり、常に隙間塞ぎ板が足場板と線接触していて隙間を塞いでおり、しかも隙間塞ぎ板が若干変形しても隙間の発生を少なくでき、更に保管時に巾木が変形するのを防止できる足場装置における巾木の取付装置を提供することである。
【０００９】
【課題を解決するための手段】
上記の目的を達成するため、本発明の手段は、建材と横架材とからなる枠体に横架材を介して足場板を架設し、足場板の両側に垂直に起立する巾木本体と巾木本体に横方向に向けて結合した隙間塞ぎ板とからなる巾木を配設し、建材と横架材にブラケットを着脱自在に結合し、当該ブラケットを介して上記巾木を上記枠体に結合している足場装置において、上記巾木本体に係止ピン又は長孔を設け、上記ブラケットを支持板と、支持板の上部に水平に設けた抱持板と、支持板の下端に形成した半円状の係止溝と、支持板に設けた係止ピン又は長孔と、抱持板の中央に形成した半円状の抱持溝と、抱持板の下面又は上面に設けたガイドと、ガイド内に上記抱持溝に対向してスライド自在に挿入した楔とからなり、上記係止溝を上記横架材上に嵌合し、上記抱持溝を上記建材側面に嵌合させ、上記楔を上記抱持溝と反対側の建材側面に圧接させることにより建材と横架材にブラケットを結合し、上記ブラケット又は上記巾木本体の一方の係止ピンを他方の長孔内に着脱自在に挿入して巾木をブラケットを介して枠体に結合させることを特徴とするものである。
【００１０】
この場合、隙間塞ぎ板を足場板の上面又は下面に当接させているのが好ましい。
【００１１】
同じく、ブラケットとしては、支持板の下部に二又状の支持片を一対設け、、各支持片の下端にそれぞれ半円状の係止溝を設けているのが好ましい。
【００１２】
同じく、支持板の中央表面に上下一対のガイド片を突出させ、各ガイド片にストッパを上下方向及び回転方向自在に挿入し、当該ストッパはガイド片に挿入したロッドと、ロッドの下部に突設したストップピンと、ロッドの上端に水平に設けた係止片とからなり、巾木の装着後係止片を巾木本体の上端に係合させるようにしても良い。
【００１３】
更に上記手段において、巾木本体が板材と、板材の端部又は中間に設けた中空なソケットとからなり、ソケットに係止ピン又は長孔が形成されているのが好ましい。
【００１４】
この場合のソケットが中空な柱体と柱体の端部に張出した取付板とからなり、取付板を介して板材の端部を柱体の端部に結合させているのが好ましい。
【００１５】
同じく、ソケットが中空な柱体と柱体の表面に一体に結合した中空なガイド筒とからなり、ガイド筒内板材とスライド自在に挿入しているのが好ましい。
【００１６】
【発明の実施の形態】
以下、本発明の実施の形態を図にもとづいて説明する。
【００１７】
図１は本発明に係る基本的なパターンに係る足場装置と巾木の取付装置を示すものである。
【００１８】
足場装置Ａは、従来と同じく建材１と横架材２とからなる枠体Ｂに横架材２を介して足場板３を架設し、足場板３の両側に垂直に起立する巾木本体４と巾木本体４に横方向に向けて結合した隙間塞ぎ板５とからなる巾木６を配設して足場板３の両側の隙間を塞いでいる枠組足場等の足場装置である。
【００１９】
本発明の巾木取付装置はこの足場装置において、建材１と横架材２にブラケット７を着脱自在に結合し、上記ブラケット７と巾木本体４とに係止ピン８又は長孔９を設け、一方の係止ピン８を他方の長孔９内に着脱自在に挿入して巾木６をブラケット７を介して枠体Ｂに結合させるものである。
【００２０】
ところで、足場板３の片側又は両側に巾木を起立して足場板３の片側又は両側の隙間を塞ぐパターンとしては図１０（Ａ）（Ｂ）（Ｃ）（Ｄ）の４つのパターンがある。
【００２１】
図１０（Ａ）のパターンは足場板３の端部上面に巾木本体４を直接起立して取付けるものである。
【００２２】
図１０（Ｂ）は足場板３の側面に巾木本体４に直接当接して取付けるものである。これら二つのパターンにおいても隙間塞ぎ板５をそれぞれ足場板３の上面に当接するように配置しても良い。
【００２３】
図１０（Ｃ）のパターンは足場板３の側部に巾木本体４を起立し、隙間塞ぎ板５を足場板３の上面に当接するもので、上記図１の実施の形態に相当するパターンである。
【００２４】
図１０（Ｄ）は足場板３の側部に巾木本体４を起立し、隙間塞ぎ板５を足場板３の端部下面に当接するパターンである。
【００２５】
上記の各パターンにおける巾木の取付方法としては図１に示すものと同じ構造のものを応用して適用できる。
【００２６】
以下、図１，図１０（Ｃ）のパターンにもとづいて巾木の取付装置の構造を説明する。
【００２７】
巾木６の取付装置の基本は枠体Ｂ側に着脱自在に結合したブラケット７を介して取付けるものであり、この場合ブラケット７と巾木６とにそれぞれ係止ピン８と長孔９を設け、一方の係止ピン８を他方の長孔９に差し込み、次いで長孔９を介して巾木６を下方に向けて下降させ、隙間塞ぎ板５を確実に足場板３の上面に当接させるものである。この場合、図１乃至図１２の実施の形態では係止ピン８をブラケット７に設け、長孔９を巾木６に設けるものである。
【００２８】
そして図１３は係止ピン８を巾木６側に設け、長孔９をブラケット７側に設けた実施の形態を示すものである。基本的なブラケット７は、図２乃至図４に示すように、支持板１０と、支持板１０の上部に水平に設けた抱持板１１と、支持板１１の下端に形成した半円状の係止溝１２と、支持板１１に設けた左右二組の係止ピン８と、抱持板１１の中央に形成した半円状の抱持溝１３と、抱持板１１の下面に設けたガイド１４と、ガイド１４内に抱持溝１３に対向してスライド自在に挿入した楔１５とからなるものである。係止溝１２を横架材２上に嵌合し、抱持溝１３を建材１の側面に嵌合させ、楔１５を抱持溝１３と反対側の建材１の側面に打ち込んで圧接させることにより建材１と横架材２にブラケット７を結合している。これによりブラケット７は横架材２によって下方と回転方向への移動が規制させ、前後方向の動きやガタは抱持溝１３に楔１５との挾持力で規制される。
【００２９】
上記の係止溝１２は一つでも良いが、図１２の他の実施の形態に示すように左右二組設けても良い。即ち、支持板１０の下部に二又状の支持片１０ａ，１０ａを一対設け、各支持片１０ａ，１０ａの下端にそれぞれ半円状の係止溝１２，１２を設けている。この場合、建枠１に対して横架材２をクランプＫを介して結合する時、横架材２が建枠１の右側又は左側に配置される場合があり、この場合には横架材２の位置に対応してそれぞれ選択的にどちらか一方の係止溝１２を利用できるようにしたものである。ブラケット７としては上記の構成を備えていれば充分に使用可能であるが、次のようなストッパＳを設けることにより巾木６がブラケット７の上方に外力があっても抜け出るのを防止できる。
【００３０】
即ち、支持板１０の中央表面に上下一対のガイド片１６，１６を突出させ、各ガイド片１６にストッパＳを上下方向及び回転方向自在に挿入している。当該ストッパＳはガイド片１６に上下方向及び回転方向移動自在に挿入したロッド１７と、ロッド１７の下部に突設したストップピン１８と、ロッド１７の上端に水平に設けたコ字状の係止片１９とからなり、巾木６の装着後係止片１９を巾木本体４の上端に係合させるものである。
【００３１】
巾木６を取付ける時は係止片１９を支持板１０と直交する方向に向けておき、巾木６を装着した後に係止片１９を水平方向に回転させて巾木本体１４に係合させる。これにより巾木６が上昇してもストップピン１８がガイド片１６に当接してそれ以上上方には移動しないようになっている。次に、巾木６について説明する。
【００３２】
巾木６は、図５に示すように巾木本体４と隙間塞ぎ板５とからなり、巾木本体４が板体４０と、板体４０の端部に設けた中空なソケット４１とからなり、ソケット４１に長孔９が形成されている。この場合、ソケット４１が中空な柱体４２と柱体４２の端部に張出した取付板４３とからなり、取付板４３を介して板材４０の端部を柱体４２の端部に結合させている。板体４０の上端にはコ字状のフレームからなるカバー４４を嵌合させても良い。ソケット４１は図５乃至図９に示すように板体４０の両端に結合しているが、図１６の他の実施の形態に示すような構造にしても良い。これは、ソケット４１が中空な柱体４２ａと柱体４２ａの表面に一体に結合した中空なガイド筒４２ｂとからなり、ガイド筒４２ｂ内板材４０をスライド自在に挿入しているものである。
【００３３】
ソケット４１は中空でなくても良いが、上記のストッパＳにおける係止片１９の両端引掛片をソケット４１の上端内に嵌合させることによりストッパＳの回転が規制され、巾木６の位置決めが確実に行なえる。
【００３４】
図７乃至図９は巾木６の実施の形態が示されている。
【００３５】
図７に示す巾木本体４は隙間塞ぎ板１５の端部に設けたガイド溝１５ａ内に挿入した板材４０と、板材４０の端部に結合したソケット４１とからなり、板材４０が取付板４３にピン又はボルトを介して結合させたものである。
【００３６】
図８の他の実施の形態に係る巾木本体４は隙間塞ぎ板１５の端部に一体に起立する中空な板材４０と板材４０の端部に結合したソケット４１とからなり、板材４０を取付板４３に嵌合させ両者をピン又はボルトで結合させたものである。
【００３７】
更に図９に示す巾木本体４は図８の場合と同じく隙間塞ぎ板１５の端部に起立する板材４０を有し、この板材４０の上端を断面にＬ字状に折り曲げたものであり、板材４０を取付板４３を介して柱体４２側に結合したものである。
【００３８】
次に図１１は本発明の他の実施の形態に係り、これは支保工における足場装置に本発明を適用したものである。
【００３９】
支保工は建材１と、建材１に設けたフランジからなる取付具２０を介して建材１に横方向に結合した横架材２及び水平材２１とを有し、図１の場合と同じく、横架材２に足場板３を架設し、この足場板３に沿って巾木６を配設するものである。
【００４０】
建材１と横架材２には図２に示すものと同じブラケット７を取付け、このブラケット７を介して巾木６が装着される。その他の構造，作用，効果は図１，図２の実施の形態と同じである。
【００４１】
図１３は本発明の他の実施の形態に係り、これは図１の枠組足場からなる足場装置Ａ又は図１１に示す支保工における足場装置に使用する点は上記の各実施の形態と同じであるが、この実施の形態ではブラケット７の支持板１０に長孔９を形成し、巾木６のソケット４１側に係止ピン８を突設し、この係止ピン８を長孔９内に挿入して巾木６を取付けるようにしたものである。その他の構造，作用，効果は図１，図２の実施の形態と同じである。
【００４２】
図１４は足場装置Ａを建築現場に設置した状態を示し、特に被建築物Ｄの入隅Ｅと出隅Ｆに配置した状態を示す。
【００４３】
この場合、建材１と横架材２とからなる枠体Ｂを横方向に連続して配置し、各枠体Ｂに足場板３を架設して足場を設置している。足場板３の両側にはブラケット７を介して巾木６が設置されている。
【００４４】
この場合、巾木６の設置は上記の各実施の形態に係る構造を利用しているが、例えば、図１５，図１６に示す巾木６を使用しても良い。
【００４５】
図１６に示す巾木６はすでに説明したように、板材４０をガイド筒４２ｂ内にスライド自在に挿入している。そして入隅Ｅや出隅Ｆに対応するコーナーにはＬ字状の中空なコーナーソケット４５を設け、直角方向に延びる板材４０，４０の端部をコーナーソケット４５に挿入して結合するものである。
【００４６】
図１５に示す巾木６Ａは例えば、図１４に示す足場装置Ａに於て、連続する足場の端部Ｇが開放されたままであると危険であるのでこの部位に設置するものである。
【００４７】
即ち、足場板３の端部において両側の巾木６に対して直交する方向に他の補助用巾木６Ａを設置するものであり、この巾木６Ａはブラケット７に対して回転自在に取付けられている。
【００４８】
ブラケット７には係止ピン８と長孔５２を介して略々Ｌ字状に折り曲げた補助ブラケット７Ａが結合され、この補助ブラケット７Ａの他端には支持ロッド５０が設けられ、この支持ロッド５０には巾木６Ａに設けたコ字状の支持金具５１が回転自在に結合されている。この為、巾木６Ａは支持ロッド５０を介して矢印Ｙ方向に回転し、使用時には足場板３の端部に設置するものである。その他の構造，作用，効果は前記した各実施の形態と同じである。
【００４９】
【発明の効果】
本発明によれば、次の効果がある。
【００５０】
(1) 各請求項の発明によれば、巾木をブラケットに対して係止ピンと長孔を介して結合でき、この際係止ピンを長孔に挿入して下降するだけで巾木が装着できるので、巾木の着脱操作が容易でスピートアップを図れる。更に巾木はクランプ等の嵩ばる部材を備えていないので保管時に積み重ねが良好となり、巾木自体の変形を防止できる。
【００５１】
(2) 同じく、巾木を長孔に沿って下降できるので隙間塞ぎ板を足場板に当接する位置まで下降でき、これにより隙間塞ぎ板を足場板にフイットでき、確実に足場板の側部における隙間を塞ぐことができる。
【００５２】
(3) 請求項１，３，４の発明によればブラケットが確実に建材と横架材に装着でき、又、横架材によってブラケットが下方に位置ずれするのが規制される。
即ち、係止溝を横架材上に嵌合し、抱持溝を建材の側面に嵌合させ、楔を抱持溝と反対側の建材の側面に打ち込んで圧接させることにより建材と横架材にブラケットを結合しているため、ブラケットは横架材によって下方と回転方向への移動が規制され、前後方向の動きやガタは抱持溝と楔との挾持力で規制される。
【００５３】
(4) 請求項４の発明によれば、ストッパによって巾木が上方に抜け出るのが防止でき、常に安全性を保っことができる。
【００５４】
(5) 請求項５，６，７の発明によればソケットによって巾木全体が補強され、係止ピンを取付けたり又は長孔を形成することが容易となる。
【図面の簡単な説明】
【図１】巾木を装着した本発明に係る足場装置の斜視図である。
【図２】ブラケットと巾木との分解斜視図である。
【図３】ブラケットと巾木との装着状態の拡大側面図である。
【図４】ブラケットと巾木の一部縦断正面図である。
【図５】巾木の分解斜視図である。
【図６】巾木の斜視図である。
【図７】巾木の一実施の形態に係る一部切欠き斜視図である。
【図８】他の実施の形態に係る巾木の一部切欠き斜視図である。
【図９】他の実施の形態に係る巾木の一部切欠き斜視図である。
【図１０】（Ａ）（Ｂ）（Ｃ）（Ｄ）は足場板に巾木を取付ける状態のパターンを示す略示拡大正面図である。
【図１１】支保工の枠体にブラケットを取付けた状態の拡大斜視図である。
【図１２】他の実施の形態に係るブラケットの斜視図である。
【図１３】他の実施の形態に係るブラケットと巾木の斜視図である。
【図１４】足場装置を建築現場に設置した状態の平面図である。
【図１５】補助用の巾木を設置した足場装置の斜視図である。
【図１６】他の実施の形態に係る巾木の斜視図である。
【符号の説明】
１  建材
２  横架材
３  足場板
４  巾木本体
５  隙間塞ぎ板
６  巾木
７  ブラケット
８  係止ピン
９  長孔
１０，１０ａ  支持板
１１  抱持板
１２  係止溝
１３  抱持溝
１４  ガイド
１５  楔
１６  ガイド片
１７  ロッド
１８  ストップピン
１９  係止片
４０  板材
４１  ソケット
４２  取付板
４２ａ  柱体
４２ｂ  ガイド筒
Ａ  足場装置
Ｂ  枠体
Ｓ  ストッパ
【図１】
0004630487.tif 000002
【図２】
0004630487.tif 000003
【図３】
0004630487.tif 000004
【図４】
0004630487.tif 000005
【図５】
0004630487.tif 000006
【図６】
0004630487.tif 000007
【図７】
0004630487.tif 000008
【図８】
0004630487.tif 000009
【図９】
0004630487.tif 000010
【図１０】
0004630487.tif 000011
【図１１】
0004630487.tif 000012
【図１２】
0004630487.tif 000013
【図１３】
0004630487.tif 000014
【図１４】
0004630487.tif 000015
【図１５】
0004630487.tif 000016
【図１６】
0004630487.tif 000017